(57)【要約】【課題】  鏡を固定するための固定ねじが表面から隠れて見栄えがよくなるとともに、意匠性に優れた鏡固定構造を提供すること。【解決手段】  鏡パネル２１の表面に形成された取り付け枠２３に、固定具２４を用いて鏡２２を固定した。取り付け枠２３は、鏡２２の周縁部を支持する枠体２５と枠体２５の裏面側縁部に沿って形成され鏡２２の裏面側を支持する取り付け部２６とを備え、取り付け部２６は鏡パネル２１の表面から所定間隔を保った状態で取り付けられている。また、固定具２４は、枠体２５の内周面における下端部と上端部とに固定ねじ２８によって固定された固定部２４ａと鏡２２の表面における周縁部側部分を支持して鏡２２が取り付け枠２３から外れることを防止する支持部２４ｂとからなっている。また、枠体２５および鏡２２を縦長の楕円状に形成した。【選択図】  図２
2005143807.tif 000002
【特許請求の範囲】
【請求項１】
板状の鏡と、前記鏡の周縁部を支持する枠体と前記枠体の裏面側縁部に沿って形成され前記鏡の裏面側を支持する取り付け部とを備え、前記取り付け部における外周側部分が壁面から所定間隔を保った状態で前記壁面に取り付けられた取り付け枠と、前記取り付け枠の表面を除く所定部分に固定ねじによって固定された固定部と前記鏡の表面における周縁部側部分を支持して前記鏡が前記取り付け枠から外れることを防止する支持部とからなる固定具とを備えたことを特徴とする鏡固定構造。
【請求項２】
前記固定部を、前記枠体の内面に対向する板状部で構成し、前記固定部を前記固定ねじで前記枠体に固定した請求項１に記載の鏡固定構造。
【請求項３】
前記固定部を、前記枠体の内面および前記取り付け部の内面に対向する板状部で構成し、前記固定部を前記固定ねじで前記取り付け部に固定した請求項１に記載の鏡固定構造。
【請求項４】
前記固定具を、前記鏡の下端部に取り付けられる固定具と、前記鏡の上端部に取り付けられる固定具とで構成した請求項１ないし３のうちのいずれか一つに記載の鏡固定構造。
【請求項５】
前記枠体および前記鏡を縦長の楕円状に形成するとともに、前記鏡の下端部と上端部とをそれぞれ１個の固定具で前記取り付け枠に固定した請求項１ないし４のうちのいずれか一つに記載の鏡固定構造。
【発明の詳細な説明】
【技術分野】
【０００１】
本発明は、室内等の壁面に鏡を固定するための鏡固定構造に関する。
【背景技術】
【０００２】
従来から、浴室や洗面室等における種々の壁面に鏡が取り付けられており、このような鏡の中に、鏡を固定するための固定ねじが表面に露呈しないようにして見栄えを良くした鏡固定構造がある（例えば、特許文献１参照）。この鏡固定構造では、鏡固定用のフレームを壁部に固定ねじを用いて固定し、鏡の下端部および上端部をそれぞれ押圧用のねじを用いてフレームに固定している。そして、下側のフレームの下面と前面および上側のフレームの上面と前面をそれぞれ化粧アングルで覆ってねじが見えないようにしている。各フレームとそれに対応する化粧アングルは、それぞれ鏡の下端面と上端面に対応する部分を固定ねじで固定することによって組み付けられている。
【特許文献１】特開平１０−５７２１１号公報
【発明の開示】
【０００３】
しかしながら、従来の鏡固定構造では、鏡を固定するための各部材に加えて、ねじを隠すための化粧アングルを用いているため、部品点数が多くなるという問題がある。また、鏡の下端縁部と上端縁部には化粧アングルが取り付けられているが、鏡の左右両側の縁部は剥き出しになるため、意匠的に好ましくないという問題がある。
【０００４】
本発明は、前述した問題に対処するためになされたもので、その目的は、鏡を固定するための固定ねじが表面から隠れて見栄えがよくなるとともに、意匠性に優れた鏡固定構造を提供することである。
【０００５】
上記の目的を達成するため、本発明にかかる鏡固定構造の特徴は、板状の鏡と、鏡の周縁部を支持する枠体と枠体の裏面側縁部に沿って形成され鏡の裏面側を支持する取り付け部とを備え、取り付け部における外周側部分が壁面から所定間隔を保った状態で壁面に取り付けられた取り付け枠と、取り付け枠の表面を除く所定部分に固定ねじによって固定された固定部と鏡の表面における周縁部側部分を支持して鏡が取り付け枠から外れることを防止する支持部とからなる固定具とを備えたことにある。
【０００６】
このように構成した本発明の鏡固定構造によれば、鏡は、周縁部を支持する枠体と裏面側を支持する取り付け部とからなる取り付け枠内に設置され、表面における周縁部側部分が取り付け枠の表面（前面）を除く所定部分に固定ねじによって固定された固定具で支持されている。この場合、固定ねじの頭部は、枠体の外周面か取り付け部の裏面側に位置するため、枠体の表面からは見えなくなり、鏡や取り付け枠が見栄えのよいものになる。また、鏡の周囲には取り付け枠の枠体表面が位置して鏡の周囲を縁取るため意匠的にも優れたものになる。
【０００７】
また、固定ねじは、固定具の固定部を枠体または取り付け部に固定する。この場合、枠体の外周面側は壁面に沿った空間になり、取り付け部の裏面における外周側部分は壁面から所定間隔を保った状態になっているため、固定ねじによる固定具の取り付け枠への固定が可能になる。また、固定具は、鏡の周縁部に沿ったリング状のもので構成してもよいし、複数個の小さなもので構成してもよい。複数個の固定具を使用する場合は、鏡の上下の端部や左右の端部など適宜取り付け位置を設定することができるが、この取り付け位置は、固定ねじが表面から見えない位置に設置する。また、固定具の固定部は、取り付け部の内面側に固定してもよいし、外面側に固定してもよい。
【０００８】
本発明にかかる鏡固定構造の他の構成上の特徴は、固定部を、枠体の内面に対向する板状部で構成し、固定部を固定ねじで枠体に固定したことにある。この場合、固定具の固定部が枠体における表面を除く部分に固定されるため、固定ねじは、枠体の外周面に位置するようになる。これによっても、固定ねじが表面側から見えなくなり見栄えがよくなる。また、固定具の固定部を単純な構造にできるため、製造が容易になるとともに、安価になる。
【０００９】
本発明にかかる鏡固定構造のさらに他の構成上の特徴は、固定部を、枠体の内面および取り付け部の内面に対向する板状部で構成し、固定部を固定ねじで取り付け部に固定したことにある。この場合、固定具の固定部が取り付け部に固定されるため、固定ねじは、取り付け枠の裏面側に位置するようになる。これによると、固定具を取り付け部のどの部分に固定しても固定ねじは表面側から見えなくなる。したがって、見栄えの点からは、固定具の取り付け位置を特に考慮する必要がなくなり、設計の自由度が増す。
【００１０】
また、本発明にかかる鏡固定構造のさらに他の構成上の特徴は、固定具を、鏡の下端部に取り付けられる固定具と、鏡の上端部に取り付けられる固定具とで構成したことにある。鏡の使用者は、通常鏡の中央部近傍に目の高さを合わせて鏡を使用する。したがって、鏡の上下の端部をそれぞれ、固定具で固定することにより、固定ねじが、枠体の外周面に取り付けられていても鏡の前方からは見えなくなる。このため、見栄えがよくなる。また、この場合の下端部に取り付けられる固定具と上端部に取り付けられる固定具とは、それぞれ１個で構成してもよいし、複数個で構成してもよい。
【００１１】
本発明にかかる鏡固定構造のさらに他の構成上の特徴は、枠体および鏡を縦長の楕円状に形成するとともに、鏡の下端部と上端部とをそれぞれ１個の固定具で取り付け枠に固定したことにある。これによると、楕円状の鏡の周縁部を楕円状の取り付け枠の表面が囲み、鏡の下端部と上端部とに固定具の支持部が位置するようになる。この場合、枠体の表面によって意匠性が向上する。また、固定具の支持部には、固定ねじが取り付けられていないため、デザインの一部のように見え、さらに見栄えがよくなる。
【発明を実施するための最良の形態】
【００１２】
（第１実施形態）
以下、本発明の実施形態を図面を用いて説明する。図１は、第１実施形態に係る鏡固定構造２０を備えた浴室ユニット１０を示している。この浴室ユニット１０は、浴槽１１を備えており、浴槽１１は、浴槽フロア（図示せず）の上面に設置されている。また、浴槽フロアの長手方向に沿った一方の縁部には、洗い場フロア１２が接続され、浴槽フロアと洗い場フロア１２とからなるフロアの周縁部に、壁パネル１３ａ，１３ｂ，１３ｃ等が起立状態で設置されている。そして、壁パネル１３ａ等の上端部に略ドーム状の天井パネル１４ａ，１４ｂが掛け渡されて固定されている。
【００１３】
また、洗い場フロア１２の上面における壁パネル１３ｂに沿った部分には、浴槽１１の上面と略等しい高さに設定されたカウンター１５が設けられ、浴槽１１の上面におけるカウンター１５側の角部に、浴槽１１内に湯や水を供給するための水栓１６が設けられている。また、カウンター１５の上方に、壁パネル１３ｂの一方側部分に沿った本発明の壁面を構成する鏡パネル２１が取り付けられている。
【００１４】
鏡パネル２１の表面は、幅方向の中央部がやや後方に窪んだ湾曲状に形成されており、その中央部に縦長の楕円板状の鏡２２が取り付けられている。鏡パネル２１の表面略中央には、図２に示した取り付け枠２３（上部側部分のみを図示している。）が形成されており、鏡２２は、固定具２４を介して取り付け枠２３に固定されている。取り付け枠２３は、正面から見た状態が楕円状に形成された枠体２５と、枠体２５の裏面側縁部に沿って枠体２５の内周側に形成された取り付け部２６とで構成されている。
【００１５】
枠体２５は、内部に鏡２２を収容できる厚み（略２０ｍｍの幅）を有するリング状に形成されており、上端部と下端部（下端部は上端部と上下対称であるため図示を省略する。）とにそれぞれねじ穴２５ａが形成されている。取り付け部２６は、鏡パネル２１の表面から突出した基部２６ａと、基部２６ａの先端縁部と枠体２５の裏面側縁部とを接続する裏面部２６ｂとを備えている。
【００１６】
基部２６ａは、枠体２５よりも小さな楕円枠状に形成されている。また、基部２６ａの裏面と鏡パネル２１の表面との間には所定の間隔（手が入る程度の間隔）が設けられている。そして、基部２６ａの表面（室内側）における上部および下部には、それぞれ上下に延びる垂直リブ２７ａが左右に所定間隔を保って形成され、その先端部に本発明に係る取り付け部２６の一部を構成する鏡受け部２７が形成されている。また、垂直リブ２７ａの上端には、各垂直リブ２７ａを結ぶ水平リブ２７ｂが形成されている。
【００１７】
固定具２４は、枠体２５の内面に沿って設置される固定部２４ａと、鏡２２の表面における上下の端部を支持して、鏡２２が取り付け枠２３から外れることを防止する支持部２４ｂとからなるアングルで構成されている。そして、固定部２４ａには、ねじ穴２４ｃが形成されている。鏡２２は、裏面を鏡受け部２７に当てた状態で、枠体２５内に収容され、表面における下端部および上端部を支持部２４ｂで支持されて取り付け枠２３に固定されている。また、固定具２４は、ねじ穴２４ｃ，２５ａに固定ねじ２８を螺合させることによって枠体２５に固定され、鏡２２を支持している。この固定ねじ２８の頭部の上面（図２の状態）は、平面に形成して、枠体２５の外周面から突出しないようにしている。
【００１８】
また、鏡パネル２１における壁パネル１３ｃ側部分には、小さな棚板１７ａ，１７ｂ，１７ｃが上下に所定間隔を保って設けられ、鏡２２の下方には、鏡パネル２１の幅方向に延びる大きな棚板１７ｄと水栓１８が設けられている。また、鏡パネル２１の上端部には、浴室ユニット１０内を照明するための照明装置１９が設置されている。
【００１９】
この構成において、鏡２２の鏡パネル２１への取り付けは次のようにして行われる。まず、鏡パネル２１に取り付けられた取り付け枠２３の枠体２５における内面の下端部に、固定ねじ２８を用いて固定具２４を固定する。この固定は、固定部２４ａのねじ穴２４ｃを枠体２５のねじ穴２５ａに位置決めし、ねじ穴２５ａ，２４ｃに固定ねじ２８を枠体２５の下方から螺合させることにより行う。つぎに、鏡２２の下部側の裏面を鏡受け部２７に当て、鏡２２の下端部を固定具２４の支持部２４ｂと固定ねじ２８との間に入れた状態で、鏡２２を枠体２５内に取り付ける。これによって、鏡２２の裏面における上部も取り付け枠２３の上部に形成された鏡受け部２７に当たる。
【００２０】
ついで、枠体２５の内面の上端部と鏡２２の上端部との間に、固定具２４の固定部２４ａを差し込み、支持部２４ｂを鏡２２の表面上端部に当てた状態で、固定部２４ａのねじ穴２４ｃを枠体２５のねじ穴２５ａに位置決めする。そして、ねじ穴２５ａ，２４ｃに固定ねじ２８を枠体２５の上方から螺合させることにより、固定具２４を枠体２５の上端部に固定する。これによって、鏡２２は裏面を鏡受け部２７に当て、前面の上下端部を支持部２４ｂで支持された状態で枠体２５内に固定される。
【００２１】
本実施形態にかかる鏡固定構造２０では、このように固定ねじ２８が、枠体２５の下端部下面および上端部上面に取り付けられるため、鏡２２の使用者から見えなくなる。また、枠体２５や支持部２４ｂの表面は、デザインとしても機能する。このため、鏡固定構造２０は、見栄えがよくなり、意匠的にも優れたものになる。また、鏡２２の取り付け枠２３への固定が、２個の固定具２４と２個の固定ねじ２８だけで行えるため、固定作業が容易である。また、使用する部品点数が少ないため低コストになる。
【００２２】
（第２実施形態）
図３は本発明の第２実施形態にかかる鏡固定構造３０の上部側部分を示している。この鏡固定構造３０では、取り付け枠３３の枠体３５には、ねじ穴は設けられてなく、取り付け部３６の下部側部分および上部側部分にねじ穴３６ａが設けられている。また、固定具３４の固定部は、枠体３５の内面に沿った水平片３４ａと、水平片３４ａの端部から裏面部３６ｂに沿って裏面部３６ｂの中心側に延びる垂直片３４ｂとを備えている。また、垂直片３４ｂの先端部には、裏面部３６ｂから突出した水平リブ３７ｂに沿って曲がったＬ形片３４ｃが形成され、このＬ形片３４ｃは水平リブ３７ｂの端部に接触している。
【００２３】
そして、垂直片３４ｂにおけるＬ形片３４ｃ側の部分にねじ穴３４ｄが形成され、このねじ穴３４ｄと裏面部３６ｂのねじ穴３６ａとに固定ねじ３８が螺合している。この固定ねじ３８の頭部は半球状に形成して、取り付けの際の回転操作がし易くなるようにしている。この鏡固定構造３０におけるそれ以外の部分の構成については、前述した鏡固定構造２０と同一である。したがって、同一部分に同一符号を記している。
【００２４】
この場合の鏡２２の鏡パネル２１への取り付けは、次のようにして行われる。まず、取り付け枠３３の内面の下端部に、固定ねじ３８を用いて固定具３４を固定する。この固定は、垂直片３４ｂのねじ穴３４ｄを裏面部３６ｂのねじ穴３６ａに位置決めし、ねじ穴３６ａ，３４ｄに固定ねじ３８を取り付け枠３３の裏面側から螺合させることにより行う。この場合、固定具３４のＬ形片３４ｃが、水平リブ３７ｂの端部に当たって、固定具３４は適正位置に位置決めされる。つぎに、鏡２２の下端部を固定具３４の支持部２４ｂの内側に入れて、鏡２２の下部側の裏面を鏡受け部２７に当てる。
【００２５】
ついで、鏡２２の上端部の表裏を固定具３４の支持部２４ｂと垂直片３４ｂとで挟むようにして、固定具３４を鏡２２の上端部に取り付ける。そして、鏡２２の上端側部分を固定具３４とともに、枠体３５内に入れ、垂直片３４ｂのねじ穴３４ｄを裏面部３６ｂのねじ穴３６ａに位置決めする。そして、ねじ穴３６ａ，３４ｄに固定ねじ３８を取り付け枠３３の裏面側から螺合させることにより、固定具３４を取り付け枠３３の上端部に固定する。これによって、鏡２２は取り付け枠３３内に固定される。この場合、鏡固定構造３０を鏡パネル２１のどの部分にどのような状態で取り付けても固定ねじ３８は表面側から見えなくなる。この鏡固定構造３０のそれ以外の作用効果については、前述した鏡固定構造２０と同様である。
【００２６】
また、本発明に係る鏡固定構造は、前述した各実施形態に限定するものでなく、適宜変更実施が可能である。例えば、前述した第１実施形態では、枠体２５にねじ穴２５ａを設け、第２実施形態では、取り付け部３６にねじ穴３６ａを設けているが、取り付け枠を、枠体と取り付け部とにそれぞれねじ穴が形成されたもので構成することができる。そして、固定具を、固定具３４の水平片３４ａにねじ穴を設けたもので構成する。この場合、固定ねじとしては、固定ねじ２８，３８のどちらか一方を用いて固定具を取り付け枠に固定してもよいし、双方を使用して固定具を取り付け枠に固定してもよい。
【００２７】
また、前述した各実施形態では固定具２４，３４を鏡２２の下端部と上端部とをそれぞれ固定するための２個のもので構成しているが、この固定具としては、鏡２２の外周縁部全体を固定する枠状のもので構成することができる。この場合、固定ねじ２８，３８は、最低、２個のものを用い、所定間隔を保って所定部分に取り付ける。これによると、固定具の表面によって意匠的効果が向上する。また、前述した各実施形態では、鏡２２および取り付け枠２３，３３を楕円状に形成しているが、これらの形状は特に限定されず、円形、三角形、四角形等どのような形状にしてもよい。
【００２８】
また、固定具の形状も鏡および取り付け枠の形状に応じて変更することができる。例えば、鏡および取り付け枠の形状を四角形にする場合には、固定具は、四角枠状に形成されたもの、四角の角部に取り付けられる４個の部材で構成されるもの、四角の下端縁部と上端縁部に沿って取り付けられる２個の長いもの、四角の下端縁部と上端縁部の両側にそれぞれ取り付けられる４個の部材で構成されるもの等、とすることができる。また、前述した実施形態では、固定具２４，３４の固定部２４ａを取り付け枠２３，３３の内部側に固定しているが、固定部を取り付け枠の外部側に固定することもできる。
【００２９】
さらに、固定具２４，３４は、鏡２２の左右の端部に取り付けることもできる。特に、固定具３４を用いて、固定ねじ３８を取り付け枠３３の裏面に位置させる場合には、鏡２２の左右に固定具３４を取り付けても固定ねじ３８は表面側から見えないため、見栄えが悪くなることはない。また、本発明の鏡が取り付けられる壁面としては、浴室ユニット１０の鏡パネル２１に限らず、洗面所、寝室、居間などの種々の場所に設けられた壁面でもよい。
【図面の簡単な説明】
【００３０】
【図１】本発明の第１実施形態による鏡固定構造を備えた浴室ユニットを示す斜視図である。
【図２】第１実施形態に係る鏡固定構造の上部側部分を示す断面図である。
【図３】第２実施形態に係る鏡固定構造の上部側部分を示す断面図である。
【符号の説明】
【００３１】
２０，３０…鏡固定構造、２１…鏡パネル、２２…鏡、２３，３３…取り付け枠、２４，３４…固定具、２４ａ…固定部、２４ｂ…支持部、２４ｃ，２５ａ，３４ｄ，３６ａ…ねじ穴、２５，３５…枠体、２６，３６…取り付け部、２６ａ…基部、２６ｂ，３６ｂ…裏面部、２７…鏡受け部、２８，３８…ねじ、３４ａ…水平片、３４ｂ…垂直片、３４ｃ…Ｌ形片。
【図１】
2005143807.tif 000003
【図２】
2005143807.tif 000004
【図３】
2005143807.tif 000005